(57)【特許請求の範囲】
【請求項１】
有機ポリマーに、粒径が０．１マイクロメートル以上であり、粒径が異なる磁性鉄粉を混合して搾ることにより、複数の磁性濾過穴を有したフィルム状に加工して作成された磁性フィルムを少なくとも二層以上積層し、該積層した二層以上のフィルムの磁性濾過穴が、互いに一致するように配列されるか、互いに交錯するように配列されることを特徴とする磁性フィルム濾過装置。
【請求項２】
該有機ポリマーは、クロロプレンゴムやエチレンプロピレンジエンモノマー、ポリウレタン或いは他のエラストマーからなる群から得られた一つであることを特徴とする、請求項１に記載の磁性フィルム濾過装置。
【請求項３】
該有機ポリマーは、スチレンブタジエンスチレンブロックコポリマー、スチレンエチレンブチレンスチレンブロックコポリマー、ポリオレフィン系熱可塑性ポリオレフィン、或いは他の配合ゴムからなる群から選ばれた一つであることを特徴とする、請求項１に記載の磁性フィルム濾過装置。
【発明の詳細な説明】
【技術分野】
【０００１】
本発明は、単層磁性フィルム濾過装置に関し、特に、複数の磁性濾過穴を有するフィルムから構成され、金属不純物を含むオイルを吸着でき、また、その分子構造を活性化でき、より良い潤滑度が得られるものに関する。
【背景技術】
【０００２】
汚染されたオイルはエンジンの最大の敵であり、燃料油が燃焼された後、生成した汚染物や可動パーツによって生成した細微の金属粉末により、エンジンの軸受や他の転動可能のパーツに厳重な損害を与える。また、オイルの交換時間は、ほぼ五千乃至一万キロメートルである。そのため、信頼でき環境保護であるオイルフィルタを選択することが大切なことである。そのため、効率が良いオイルフィルタはエンジンの寿命を向上でき、また、エンジンの最大の機能を発揮できる。エンジンのエネルギーは、稼働中、色々に消費され、統計によれば、２１％のエネルギーがエンジンの可動パーツの摩擦に消費され、例えば、ピストンとコンロッド、軸受、カムシャフト及びクランクシャフト等の部材の摩擦消費である。これらの部材にオイルが使用され、その潤滑性によりエンジンのパーツ同士の間の摩擦が低減される。しかしながら、オイルの熱疲労劣化とともに潤滑性も低減し、そして、部材の表面摩擦により生成された細微の金属粉末があるため、例えば、燃料油効率の低減やエンジン機能の低下が発生し、そのため、エンジンの寿命の低減や排気エミッションの増加及びオイルの消費等の不良影響が発生する。
【０００３】
例えば、中華民国専利公報公告号第３８３６２１号の特許名「オイルフィルタの磁性濾過装置構造」は、オイルフィルタの磁性濾過装置構造であり、オイルフィルタのケーシングにオイル入り口とオイル出口が設けられ、該ケーシング内に濾過紙と金属網、上板及び底板からなり、円筒状である濾過装置が設けられて、該オイル入り口とオイル出口を仕切り、該金属網により囲まれた内部に磁性濾過装置が設けられ、該磁性濾過装置が該オイル出口に嵌設され、該ケーシングの内部の上面と濾過装置の上板の間に弾性素子があり、その付勢を利用してケーシング内部に設置され、これにより、オイルが該オイル入り口からケーシングの内部に入ると、順番に該フィルタ濾材と金属網、そして、該磁性濾過装置を通過してオイル出口から流出し、該磁性濾過装置により、オイルに含まれた金属不純物を吸着し、その特徴は、該磁性濾過装置に、上方に位置する台形部があり、該台形部の両側の下端に、それぞれ連続的に平板と湾曲部が伸ばし、該台形部と湾曲部の両側が適当に透かし彫られる基座と、該基座の台形部に嵌設するための中心孔が形成される磁石と、該磁石の上方に覆われ、下端の周縁が該磁石の下端縁より低く該台形部に固定されるキャップが備えられ、これにより、金属網により囲まれオイルを滞在させる空間がより大きくなり、また、キャップと磁石の間にある凹縁により有効的に金属不純物を吸著でき、該基座が任意の規格であるオイル出口の中空ボルトに実装できる。
【０００４】
該「オイルフィルタの磁性濾過装置構造」である従来技術は、金属鉄屑を濾過できるが、その構造が複雑で他の濾過システムに適用できない。そのため、一般の従来のものは実用的とは言えない。
【特許文献１】中華民国専利公報公告号第３８３６２１号
【発明の開示】
【発明が解決しようとする課題】
【０００５】
本発明の主な目的は、微細の金属粉末を濾過でき、オイルの潤滑度を活性化でき、エンジンの耐用寿命が向上され、また、構造が簡単で容易に任意のエンジンに実装できるオイルフィルタを提供する。
【課題を解決するための手段】
【０００６】
本発明は、上記の目的を達成するため、有機ポリマー（Ｐｏｌｙｍｅｒ）と異なる粒径の強力磁性鉄粉を混合して搾ることにより作成され、複数の磁性濾過穴を有するフィルムからなる単層磁性フィルム濾過装置である。その中、該有機ポリマーは、クロロプレンゴム（Ｃｈｌｏｒｏｐｅｎｅ  Ｒｕｂｂｅｒ、ＣＲ）やエチレンプロピレンジエンモノマー（Ｅｔｈｙｌｅｎｅ  Ｐｒｏｐｙｌｅｎｅ  Ｄｉｅｎｅ  Ｍｏｎｏｍｅｒ、ＥＰＤＭ）、ポリウレタン（Ｐｏｌｙｕｒｅｔｈａｎｅ、ＰＵ）、或いは他のエラストマーからなる群から、或いは、スチレンブタジエンスチレンブロックコポリマー（Ｓｔｙｒｅｎｅ  Ｂｕｔａｄｉｅｎｅ  Ｓｔｙｒｅｎｅ  Ｂｌｏｃｋ  Ｃｏｐｏｌｙｍｅｒ、ＳＢＳ）やスチレンエチレンブチレンスチレンブロックコポリマー（Ｓｔｙｒｅｎｅ−Ｅｔｈｙｌｅｎｅ−Ｂｕｔｙｌｅｎｅ−Ｓｔｙｒｅｎｅ  Ｃｏｐｏｌｙｍｅｒ  Ｃｏｍｐｏｕｎｄ、ＳＥＢＳ）、ポリオレフィン系熱可塑性ポリオレフィン（Ｔｈｅｒｍｏｐｌａｓｔｉｃ  Ｐｏｌｙｏｌｅｆｉｎ、ＴＰＯ）、或いは他の配合ゴムから選ばれた一つである。
【発明を実施するための最良の形態】
【０００７】
図１Ａ〜図１Ｃは、それぞれ、本発明の基本構造概念図と本発明Ａの局部拡大構造概念図及び本発明のオイル濾過状態概念図である。図のように、本発明は単層磁性フィルム濾過装置であり、本発明に係る単層磁性フィルム濾過装置１は、少なくとも、複数の磁性濾過穴１１１を有するフィルム１１があり、該複数の磁性濾過穴１１１を有するフィルム１１は、有機ポリマー（Ｐｏｌｙｍｅｒ）と粒径０．１マイクロメートル以上の大きさが異なる強力磁性鉄粉１１１１を混合して搾ることにより作成され、そのため、該単層磁性フィルム濾過装置１は、全てのマイクロメートルの金属研磨粉末１１２を吸着でき、これにより、金属研磨粉末１１２が含まれたオイルが、本発明の単層磁性フィルム濾過装置１を通過して濾過される時、オイル中の金属磨合鉄粉１１２が該磁性濾過穴１１１による磁性により吸着され、また、オイル中の分子構造が活性化され、そのため、オイルによりエンジン稼働中により良い潤滑度が得られ、また、該有機ポリマーは、クロロプレンゴム（Ｃｈｌｏｒｏｐｅｎｅ  Ｒｕｂｂｅｒ、ＣＲ）やエチレンプロピレンジエンモノマー（Ｅｔｈｙｌｅｎｅ  Ｐｒｏｐｙｌｅｎｅ  Ｄｉｅｎｅ  Ｍｏｎｏｍｅｒ、ＥＰＤＭ）、ポリウレタン（Ｐｏｌｙｕｒｅｔｈａｎｅ、ＰＵ）及び他のエラストマーからなる群、或いはスチレンブタジエンスチレンブロックコポリマー（Ｓｔｙｒｅｎｅ  Ｂｕｔａｄｉｅｎｅ  Ｓｔｙｒｅｎｅ  Ｂｌｏｃｋ  Ｃｏｐｏｌｙｍｅｒ、ＳＢＳ）やスチレンエチレンブチレンスチレンブロックコポリマー（Ｓｔｙｒｅｎｅ−Ｅｔｈｙｌｅｎｅ−Ｂｕｔｙｌｅｎｅ−Ｓｔｙｒｅｎｅ  Ｃｏｐｏｌｙｍｅｒ  Ｃｏｍｐｏｕｎｄ、ＳＥＢＳ）、ポリオレフィン系熱可塑性ポリオレフィン（Ｔｈｅｒｍｏｐｌａｓｔｉｃ  Ｐｏｌｙｏｌｅｆｉｎ、  ＴＰＯ）及び他の配合ゴムからなる群から選ばれた一つであり、該有機ポリマーは耐老化性や耐油性及び弾塑性等の特性がある。
【０００８】
図２Ａ〜図２Ｃは、それぞれ、本発明の２層の磁性フィルム濾過装置構造概念図と本発明Ｂの磁性濾過穴が互いに一致するように配列される時の拡大断面概念図及び本発明Ｂの磁性濾過穴が互いに交錯するように配列される時の拡大断面概念図である。図のように、本発明の単層磁性フィルム濾過装置が、他の単層磁性フィルム濾過装置に重ね合われることにより、第一層１２１と第二層１２２を有する２層磁性フィルム濾過装置１２が形成され、また、該第一層１２１の磁性濾過穴１２１１は、第二層１２２の磁性濾過穴１２２１と一致するように交錯する配列をすることができ、２層に重ね合われる２層の磁性フィルム濾過装置１２により、オイルの濾過や潤滑度の活性化の機能が強化される。
【０００９】
図３と図４は、それぞれ、本発明のフィルタ上面断面概念図と本発明の使用状態の断面概念図である。図のように、本発明の単層磁性フィルム濾過装置１は、エンジンのオイルフィルタ２に固定され、該オイルフィルタ２はリング状外筒２１とオイルイン孔２２、紙質濾網２３、自由にリング状に該紙質濾網２３に含まれる単層磁性フィルム濾過装置１、接続用の雌ねじ２４及びオイルアウト孔２５から構成され、また、該オイルアウト孔２５の一端が封止される。該単層磁性フィルム濾過装置１を有するオイルフィルタ２を使用する時、オイルは該オイルイン孔２２から該紙質濾網２３へ流れ、該紙質濾網２３を介して該単層磁性フィルム濾過装置１へ流れ、この時、該単層磁性フィルム濾過装置１は、該オイルフィルタ２の内部に形成された強大のリング状磁界により、該オイルに含まれた鉄屑や不純物等の金属研磨粉末を吸着して濾過するため、鉄屑と不純物を含まないオイルが得られ、これにより、オイルによってエンジン稼働中に、より良い潤滑度が得られる。本実施例において、単層磁性フィルム濾過装置１だけを設置してもよいが、２層の単層磁性フィルム濾過装置を利用することにより、オイルの濾過や潤滑度の活性化の機能が強化される。
【００１０】
以上のように、本発明は単層磁性フィルム濾過装置であり、有効に従来の諸欠点を改善でき、磁性を有する特性により金属研磨粉末を濾過でき、また、オイルの潤滑度を活性化でき、これにより、エンジンの耐用寿命が向上され、また、構造が簡単で容易に任意のエンジンのオイルフィルタに実装でき、そのため、本発明はより進歩的かつより実用的で、法に従って特許請求を出願する。
【００１１】
以上は、ただ、本発明のより良い実施例であり、本発明はそれによって制限されることが無く、本発明に係わる特許請求の範囲や明細書の内容に基づいて行った等価の変更や修正は、全てが本発明の特許請求の範囲内に含まれる。
【図面の簡単な説明】
【００１２】
【図１Ａ】本発明の基本構造概念図
【図１Ｂ】本発明Ａの局部拡大構造概念図
【図１Ｃ】本発明のオイル濾過状態概念図
【図２Ａ】本発明の２層の単層磁性フィルム濾過装置の構造概念図
【図２Ｂ】本発明の磁性濾過穴が一致するように配列される時の拡大断面概念図
【図２Ｃ】本発明の磁性濾過穴が交錯するように配列される時の拡大断面概念図
【図３】本発明のフィルタの上面断面概念図
【図４】本発明の使用状態の断面概念図
【符号の説明】
【００１３】
１      単層磁性フィルム濾過装置
１１      フィルム
１１１    磁性濾過穴
１１２    金属研磨粉末
１１１１  磁性鉄粉
１２      ２層の単層磁性フィルム濾過装置
１２１    第一層
１２１１  磁性濾過穴
１２２    第二層
１２２１  磁性濾過穴
２        オイルフィルタ
２１      リング状外筒
２２      オイルイン孔
２３      紙質濾網
２４      雌ねじ
２５      オイルアウト孔
【図１Ａ】
0005660590.tif 000002
【図１Ｂ】
0005660590.tif 000003
【図１Ｃ】
0005660590.tif 000004
【図２Ａ】
0005660590.tif 000005
【図２Ｂ】
0005660590.tif 000006
【図２Ｃ】
0005660590.tif 000007
【図３】
0005660590.tif 000008
【図４】
0005660590.tif 000009